(57)【要約】【課題】整髪等の手順を簡素化することが可能な塗布容器を提案する。【解決手段】本開示に係る塗布容器１００は、内容物を収容する容器本体１０の口部１１に塗布具６０を備え、塗布具６０は、内容物を外面に付着させて塗布対象に供給する回転部（ボール部材３０）と回転部を支持する支持部（抱持壁２２）と、回転部の外面近傍に設けられ、塗布対象が整列するようにガイドするガイド部４２とを有することを特徴とする。【選択図】図１
2020183242.tif 000002
【特許請求の範囲】
【請求項１】
内容物を収容する容器本体の口部に塗布具を備える塗布容器であって、
前記塗布具は、
内容物を外面に付着させて塗布対象に供給する回転部と、
該回転部を支持する支持部と、
前記回転部材の外面近傍に設けられ、塗布対象が整列するようにガイドするガイド部と
を有することを特徴とする塗布容器。
【請求項２】
前記ガイド部は、前記回転部における塗布対象との当接面近傍に設けられている、請求項１に記載の塗布容器。
【請求項３】
前記ガイド部は、前記当接面の移動方向に沿って延びる櫛部を有する、請求項２に記載の塗布容器。
【請求項４】
前記ガイド部は、前記当接面の移動方向に沿って延びる溝部を有する、請求項２又は３に記載の塗布容器。
【請求項５】
前記ガイド部は、容器の正立姿勢において、上方に向かって径方向内側に傾斜する方向に延びる、請求項１から４のいずれか一項に記載の塗布容器。
【請求項６】
前記支持部は、前記回転部の外面に沿って延在して該回転部を転動自在に抱持する抱持壁を有し、該抱持壁は、前記口部に装着される筒壁と一体形成されている、請求項１から５のいずれか一項に記載の塗布容器。
【請求項７】
前記ガイド部は、前記抱持壁の外面に嵌合する嵌合壁と一体形成されている、請求項６に記載の塗布容器。
【請求項８】
前記ガイド部は、前記支持部と一体形成されている、請求項１から６のいずれか一項に記載の塗布容器。
【請求項９】
前記回転部を覆う蓋体を更に備え、該蓋体の頂壁は、該蓋体を前記容器本体に装着したときに該回転部を押圧する押圧部を有する、請求項１から８のいずれか一項に記載の塗布容器。
【発明の詳細な説明】
【技術分野】
【０００１】
本開示は、塗布容器に関する。
【背景技術】
【０００２】
従来、整髪料等を収容する容器として、例えば特許文献１に示すような、スティック容器内に固形物の整髪料等を収容し、下部の回転部材を回転させることで整髪料等を上方に繰り出し、塗布対象（頭髪等）に供給する容器が開示されている。
【先行技術文献】
【特許文献】
【０００３】
【特許文献１】特許第４４５８６７５号公報
【発明の概要】
【発明が解決しようとする課題】
【０００４】
ところで、上述のようなスティック容器では、整髪料を頭髪に供給した後に頭髪に櫛を通すか、又は櫛に整髪料を供給した後に頭髪に櫛を通す必要があり、整髪に要する手順が煩雑となるため未だ改善の余地があった。
【０００５】
本開示は、このような問題点を解決することを課題とするものであり、その目的は、整髪等の手順を簡素化することが可能な塗布容器を提案することである。
【課題を解決するための手段】
【０００６】
本開示の塗布容器は、
内容物を収容する容器本体の口部に塗布具を備える塗布容器であって、
前記塗布具は、
内容物を外面に付着させて塗布対象に供給する回転部と、
該回転部を支持する支持部と、
前記回転部の外面近傍に設けられ、塗布対象が整列するようにガイドするガイド部と
を有することを特徴とする。
【０００７】
また、本開示の塗布容器は、上記構成において、前記ガイド部は、前記回転部における塗布対象との当接面近傍に設けられていることが好ましい。
【０００８】
また、本開示の塗布容器は、上記構成において、前記ガイド部は、前記当接面の移動方向に沿って延びる櫛部を有することが好ましい。
【０００９】
また、本開示の塗布容器は、上記構成において、前記ガイド部は、前記当接面の移動方向に沿って延びる溝部を有することが好ましい。
【００１０】
また、本開示の塗布容器は、上記構成において、前記ガイド部は、容器の正立姿勢において、上方に向かって径方向内側に傾斜する方向に延びることが好ましい。
【００１１】
また、本開示の塗布容器は、上記構成において、前記支持部は、前記回転部の外面に沿って延在して該回転部を転動自在に抱持する抱持壁を有し、該抱持壁は、前記口部に装着される筒壁と一体形成されていることが好ましい。
【００１２】
また、本開示の塗布容器は、上記構成において、前記ガイド部は、前記抱持壁の外面に嵌合する嵌合壁と一体形成されていることが好ましい。
【００１３】
また、本開示の塗布容器は、上記構成において、前記ガイド部は、前記支持部と一体形成されていることが好ましい。
【００１４】
また、本開示の塗布容器は、上記構成において、前記回転部を覆う蓋体を更に備え、該蓋体の頂壁は、該蓋体を前記容器本体に装着したときに該回転部を押圧する押圧部を有することが好ましい。
【発明の効果】
【００１５】
本開示によれば、整髪等の手順を簡素化することが可能な塗布容器を提案することができる。
【図面の簡単な説明】
【００１６】
【図１】本開示の第１実施形態に係る塗布容器の正面断面図である。
【図２】本開示の第１実施形態に係る塗布容器に用いられるガイド部材の斜視図である。
【図３Ａ】本開示の第１実施形態に係る塗布容器に用いられるガイド部材の平面図である。
【図３Ｂ】本開示の第１実施形態に係る塗布容器に用いられるガイド部材の側面図である。
【図４】本開示の第１実施形態に係る塗布容器の使用時の状態を示す図である。
【図５】本開示の第２実施形態に係る塗布容器の正面断面図である。
【図６Ａ】本開示の第２実施形態に係る塗布容器に用いられるガイド部材の斜視図である。
【図６Ｂ】本開示の第２実施形態に係る塗布容器に用いられるガイド部材の斜視図である。
【発明を実施するための形態】
【００１７】
以下、図面を参照して、本開示をより具体的に説明する。
【００１８】
図１は、本開示の第１実施形態である塗布容器１００を示す。塗布容器１００は、整髪料等の内容物を収容する収容空間Ｓを有する容器本体１０と、内容物を外面に付着させて塗布対象（頭髪）に供給するボール部材３０（回転部材）と、ボール部材３０を転動可能に支持（抱持）する支持部材２０と、塗布対象が一方向に整列するようにガイドするガイド部材４０と、ボール部材３０を上方から覆う蓋体５０とを備えている。そして、支持部材２０、ボール部材３０及びガイド部材４０により、内容物を塗布対象に塗布するロールオン式の塗布具６０を構成している。
【００１９】
なお、本明細書、特許請求の範囲、要約書および図面では、図１に示す塗布容器１００の正立姿勢において、蓋体５０が位置する側を上方（図１における上側）とし、容器本体１０の底部１７が位置する側を下方（図１における下側）とする。また、径方向外側とは、図１における塗布容器１００の中心軸線Ｏを通り中心軸線Ｏに垂直な直線に沿って外側に向かう方向であり、径方向内側とは、当該直線に沿って中心軸線Ｏに向かう方向を意味するものとする。
【００２０】
次に、塗布容器１００を構成する容器本体１０の構成について説明する。容器本体１０は、図１に示すように、塗布具６０を装着する筒状の口部１１と、口部１１の下方に連なり口部１１より縮径した首部１３と、首部１３の下方に設けられ内容物の収容空間Ｓを形成する胴部１５と、胴部１５の下端に連なり胴部１５を閉塞する底部１７とを備えている。
【００２１】
本実施形態において、容器本体１０は合成樹脂で形成されており、例えば合成樹脂素材により形成されたパリソンに対し押出しブロー成形（Extrusion Blow Molding）を行うことによって形作ることができる。容器本体１０の材料には、例えば低密度ポリエチレン（ＬＤＰＥ）、高密度ポリエチレン樹脂（ＨＤＰＥ）、ポリプロピレン（ＰＰ）及びポリエチレンテレフタレート（ＰＥＴ）等の加熱により延伸性が発現する各種合成樹脂材料を用いることができる。なお、容器本体１０は、射出成形、圧縮成形、押出成形等の手段により形成されたプリフォームに対して二軸延伸ブロー成形を行うことによって形成してもよい。
【００２２】
本実施形態において口部１１は、図１に示すように筒状形状を有している。口部１１は、外周面に形成され後述する蓋体５０を装着するための雄ねじ部１１ａと、雄ねじ部１１ａの下方に設けられ径方向外側に突出するビードリング１１ｂと、雄ねじ部１１ａの上方に設けられ後述する支持部材２０の外筒壁２４にアンダーカット係合する環状突部１１ｃとを備えている。
【００２３】
雄ねじ部１１ａは、蓋体５０をねじ係合により口部１１に装着するための係合部であり、口部１１の外周壁に一体形成されている。なお、係合部として、雄ねじ部１１ａに代えて、例えば蓋体５０を打栓により口部１１に係合させるための環状突部が形成されていてもよい。また、係合部として、雄ねじ部１１ａと係合突部の双方が設けられ、蓋体５０の仕様に応じて両者を使い分けるようにしてもよい。
【００２４】
胴部１５は、図１に示すように、口部１１の下端部に首部１３を介して連なると共に略円筒形状を有しており、内容物を収容する収容空間Ｓを形成している。なお、容器本体１０の材質にＬＤＰＥを用いた場合には、胴部１５に高いスクイズ性を付与することができるため、胴部１５へのスクイズにより塗布具６０からの内容物の排出を促進することができる。
【００２５】
ボール部材３０は、本実施形態では図１に示すように略球形状を備えており、合成樹脂製の部材である。ボール部材３０は、後述する支持部材２０に設けられた、ボール部材３０の外面に沿って延びる抱持壁２２により側面が抱持されている。これによって、ボール部材３０は、支持部材２０により転動自在に支持されている。
【００２６】
支持部材２０は、図１に示すように、ボール部材３０に沿って延在して、ボール部材３０の外面を転動自在に抱持する抱持壁２２と、抱持壁２２の底部に形成され容器本体１０の収容空間Ｓを外部に連通させる連通孔２２ｂと、抱持壁２２を支持すると共に口部１１に装着される外筒壁２４（筒壁）及び内筒壁２６（筒壁）とを備えている。
【００２７】
抱持壁２２は、図１に示すように、ボール部材３０の側面を中心軸線Ｏ周りの全周に亘って径方向外側から取り囲んでいる。また、抱持壁２２の下端部内面には、径方向内側に突出する支持突起２２ａが形成されており、ボール部材３０は、中心軸線Ｏ周りの全周に設けられた環状の支持突起２２ａに当接し支持されている。これによって、ボール部材３０は、支持突起２２ａの頂部の微小当接面において抱持壁２２と当接し、支持突起２２ａ以外の抱持壁２２との間には微小隙間Ｇが形成されている。このような構成により、ボール部材３０と抱持壁２２との接触面積を減らして両者間の摩擦力を低く抑えることによって、ボール部材３０を転動し易くすることができる。また、ボール部材３０を塗布対象に押し付ける力の強弱によって、塗布対象内への沈み込み量が変化するため、ボール部材３０における塗布対象との当接面積（塗布面積）が変化する。従って、ボール部材３０の押し付け力の調整によって、内容物の塗布量を調整することができる。
【００２８】
なお、本実施形態では、ボール部材３０が中心軸線Ｏ周りの全周に設けられた環状の支持突起２２ａにより支持されるように構成したが、この態様には限定されない。支持突起２２ａは、周方向に間欠的に設けられていてもよい。また、支持突起２２ａを設けないで、ボール部材３０が抱持壁２２全体により支持されるように構成してもよい。
【００２９】
抱持壁２２の下端部（底部）には、容器本体１０の収容空間Ｓを外部に連通させるための連通孔２２ｂが形成されている。連通孔２２ｂは、中心軸線Ｏを中心とする略円形状を備えており、その直径はボール部材３０の直径より小さく構成されている。そのため、抱持壁２２の下端部は、ボール部材３０が連通孔２２ｂを越えて下方に移動しないように規制するストッパの役割を果たしている。
【００３０】
抱持壁２２の外面には、下方に垂下し口部１１の内面に嵌合する内筒壁２６と、抱持壁２２の外面から段部２８を介して垂下し口部１１を外側から覆う外筒壁２４とを備えている。すなわち、支持部材２０は、外筒壁２４及び内筒壁２６により口部１１を表裏から挟み込むことで容器本体１０に装着されている。このとき、口部１１の外面に形成された環状突部１１ｃに外筒壁２４の内面に設けられた爪部２４ａがアンダーカット係合することで、支持部材２０は、上方に抜け止めされた状態で容器本体１０に装着される。
【００３１】
本実施形態において、支持部材２０は、抱持壁２２、外筒壁２４及び内筒壁２６が一体部材として形成されているが、複数の部材を組み合わせてもよい。
【００３２】
抱持壁２２の外面には、内容物（本実施形態では整髪料）の塗布対象（本実施形態では頭髪Ｈ）が一方向に整列するようにガイドするためのガイド部材４０が装着されている。本実施形態のガイド部材４０は、塗布対象をガイドするガイド部４２と、ガイド部４２を支持すると共に抱持壁２２の外面に嵌合する嵌合壁４４とを備えている。
【００３３】
本実施形態において、ガイド部４２は、図１及び図２に示すように、正面視で嵌合壁４４の上端部から上方に向かって径方向内側に傾斜する傾斜面に沿って延びている。ガイド部４２は、図１に示すように、ボール部材３０における塗布対象（図４の頭髪Ｈ）との当接面近傍に配置されている。本実施形態では、図１の塗布容器１００の正立姿勢において、ボール部材３０の頭頂部、又は頭頂部よりもややガイド部４２寄りの部分が概ね当接面になる。ガイド部４２は、図２、図３Ａ及び図３Ｂに示すように、傾斜面に沿って延びる櫛部４２ａ及び溝部４２ｃを備えている。
【００３４】
櫛部４２ａは、図３Ａ及び図３Ｂに示すように、ガイド部４２の傾斜面に沿って複数の櫛歯が形成された部位であり、切り欠き部４２ｂによって分断された各櫛歯が傾斜面に沿って延びている。なお、櫛歯が延びる方向は、後述する塗布容器１００の使用時において、ボール部材３０における塗布対象との当接面がボール部材３０の転動により移動する方向（図４において紙面に平行且つ頭部Ｔ表面に沿う方向）と概ね一致している。
【００３５】
図３Ａ及び図３Ｂに示すように、櫛部４２ａの根元から嵌合壁４４にかけて、複数の溝部４２ｃが設けられている。溝部４２ｃは、ガイド部４２の傾斜面に所定ピッチで溝が設けられた部位である。このように、本実施形態では、ガイド部４２の内、嵌合壁４４に近い径方向外側部分に溝部４２ｃを形成すると共に嵌合壁４４から遠い径方向内側部分に櫛部４２ａを形成している。
【００３６】
本実施形態では、櫛部４２ａにおいて各櫛歯に隣接する切り欠き部４２ｂと溝部４２ｃが傾斜面に沿う同一直線上に配置されている。この構成によって、溝部４２ｃを通る過程で整列した塗布対象（頭髪）がそのまま各櫛歯の間の切り欠き部４２ｂを通過して更に整列した状態でガイド部４２から送り出される。従って、塗布対象をスムーズにガイドして整列させることができる。
【００３７】
なお、本実施形態では、支持部材２０とガイド部材４０を別部材として構成したが、この態様には限定されず、支持部材２０とガイド部材４０を一体部品として構成してもよい。
【００３８】
図１においてボール部材３０の上方には、ボール部材３０及びガイド部材４０等を覆う蓋体５０が設けられている。本実施形態の蓋体５０は、容器本体１０の口部１１及びガイド部材４０の嵌合壁４４を径方向外側から覆う周壁５２と、周壁５２の上端部を閉塞する頂壁５４とを備えている。
【００３９】
周壁５２の下部における内面には、容器本体１０の口部１１の雄ねじ部１１ａにねじ係合するための雌ねじ部５２ａが設けられている。なお、係合部として、雌ねじ部５２ａに代えて、例えば蓋体５０を打栓により口部１１に係合させるための突起が形成されていてもよい。
【００４０】
頂壁５４の中央部には、ボール部材３０の外面の形状にそって延びるドーム部５６が設けられている。そして、ドーム部５６の下面には、蓋体５０を容器本体１０に装着した図１の状態においてボール部材３０を上方から押圧する押圧部５６ａが設けられている。押圧部５６ａは、中心軸線Ｏ周りに環状に設けられた突起である。蓋体５０を容器本体１０に装着すると、押圧部５６ａによりボール部材３０が下方に押圧され、ボール部材３０は、押圧部５６ａと支持突起２２ａにより上下から挟持された状態となる。この状態で、ボール部材３０は、押圧部５６ａ及び支持突起２２ａとの間の摩擦力により転動せず、容器本体１０に対して静止した状態を維持することができる。また、支持突起２２ａがシール部として機能するため、図１の状態において収容空間Ｓ内の内容物がボール部材３０と抱持壁２２との微小隙間Ｇを通って外部に漏れ出すのを抑制することができる。
【００４１】
次に、本実施形態の塗布容器１００を用いて、塗布対象（頭髪Ｈ）を整列させながら内容物（整髪料）を塗布対象（頭髪Ｈ）に塗布する手順を図４等を用いて説明する。
【００４２】
本実施形態の塗布容器１００を使用するに際しては、まず塗布容器１００を図１に示す正立姿勢から図４に示す倒立姿勢まで傾け、ボール部材３０及びガイド部材４０を塗布対象である頭髪Ｈに押し当てる。このとき、図４に示すように、容器本体１０の底部１７がボール部材３０に対して塗布容器１００の進行方向（図４の左方に矢印で記載）に先行するように塗布容器１００の中心軸線Ｏを傾ける。これによって、ガイド部材４０のガイド部４２の上面（図４における下面）が塗布対象である頭髪Ｈに当接する状態となる。
【００４３】
塗布容器１００の使用者は、図４の状態からガイド部４２の上面が頭部Ｔに近接する状態まで塗布容器１００を頭部Ｔに押し付ける。これによって、ボール部材３０が所定の押圧力で頭髪Ｈを押圧する。この状態から図４左方に矢印で示す方向に塗布容器１００を頭部Ｔ表面に沿って並進移動させることにより、ボール部材３０は、頭髪Ｈとの摩擦力により図４の時計回りに回転する。ボール部材３０は、容器本体１０の収容空間内の内容物（整髪料）を表面に付着させながら頭髪Ｈとの当接面まで移動させる。
【００４４】
図４の右方からガイド部４２に導かれた頭髪Ｈは、ガイド部４２の根元部分に設けられた溝部４２ｃを通って整列した後、ガイド部４２の先端部分に設けられた櫛部４２ａの切り欠き部４２ｂを通ることで更に整列した状態でボール部材３０における頭髪Ｈとの当接面に導かれる。ボール部材３０まで導かれた整列状態の頭髪Ｈは、ボール部材３０から供給された内容物（整髪料）が塗布されることで剛性が付与され、整列状態を維持することができる。従って、図４に示すような頭部Ｔから大きく外側にはみ出した頭髪Ｈａであっても、ガイド部４２により整列した直後に整髪料を塗布されることで頭部Ｔの表面に沿って整列した状態を維持することができる。また、上述のように、ボール部材３０を頭髪Ｈａに押し付ける力を変えることで整髪料の塗布量を調整することができる。
【００４５】
以上述べたように、本実施形態に係る塗布容器１００は、内容物を収容する容器本体１０の口部１１に塗布具６０を備え、塗布具６０は、内容物を外面に付着させて塗布対象に供給する回転部（ボール部材３０）と、回転部を支持する支持部と、回転部の外面近傍に設けられ、塗布対象が整列するようにガイドするガイド部４２とを有するように構成した。このような構成の採用によって、ガイド部４２によって内容物（整髪料）の塗布対象（例えば頭髪）を整列しつつ塗布することができるので、整髪の手順を簡素化することができる。
【００４６】
また、本実施形態では、ガイド部４２を、回転部における塗布対象との当接面近傍に設けるように構成した。このような構成の採用によって、塗布対象を整列した直後に内容物（整髪料）を塗布することができるので、より効果的に整髪を行うことができる。
【００４７】
また、本実施形態では、ガイド部４２は、当接面の移動方向に沿って延びる櫛部４２ａを有するように構成した。このような構成の採用によって、塗布対象に内容物（整髪料）を塗布する前に、櫛歯の間に設けた切り欠き部４２ｂを通して整列させることができるので、より効果的に整髪を行うことができる。なお、ここでいう当接面の移動方向とは、図４においてボール部材３０における頭髪Ｈとの当接面が、ボール部材３０の時計回りの回転によりその後容器本体１０に対して図の左方向に相対移動するときの方向を意味している。
【００４８】
また、本実施形態では、ガイド部４２は、当接面の移動方向に沿って延びる溝部４２ｃを有するように構成した。このような構成の採用によって、塗布対象に内容物（整髪料）を塗布する前に、溝部４２ｃに塗布対象を通すことで整列させることができるので、より効果的に整髪を行うことができる。
【００４９】
また、本実施形態では、ガイド部材４０のガイド部４２は、容器の正立姿勢において、上方に向かって径方向内側に傾斜する方向に延びるように構成した。このような構成の採用によって、図４に示すように、塗布容器１００を進行方向に前傾させた状態でガイド部材４０のガイド部４２を塗布対象に広面積で押し付けることができる。従って、塗布容器１００を常に塗布対象に対して垂直に維持する場合と比較して、容易に塗布容器１００を保持して塗布対象を整列しつつ内容物を塗布することができる。
【００５０】
また、本実施形態では、支持部は、回転部の外面に沿って延在して回転部を転動自在に抱持する抱持壁２２を有し、抱持壁２２は、口部１１に装着される筒壁（外筒壁２４，内筒壁２６）と一体形成されるように構成した。このような構成の採用によって、比較的簡素な構成で回転部を容器本体１０に対して転動可能な状態で支持することができる。
【００５１】
また、本実施形態では、ガイド部４２は、抱持壁２２の外面に嵌合する嵌合壁４４と一体形成されるように構成した。このような構成の採用によって、比較的簡素な構成でガイド部４２を回転部の外面近傍に固定することができる。
【００５２】
また、本実施形態では、回転部を覆う蓋体５０を更に備え、蓋体５０の頂壁５４は、蓋体５０を容器本体１０に装着したときに回転部を押圧する押圧部５６ａを有するように構成した。このような構成の採用によって、蓋体５０を装着することにより回転部を上方から押圧し、回転部の回転を抑制すると共に回転部と支持部との間のシールを強めることができる。
【００５３】
次に、図５〜図６Ｂを用いて、本開示の第２実施形態に係る塗布容器２００について説明する。なお、本実施形態に係る塗布容器２００は、第１実施形態と比較して、支持部（抱持壁２２）とガイド部１４２を一体部品として形成した他は、第１実施形態の構成と近似している。従って、ここでは第１実施形態との差異点を中心に説明する。なお、第１実施形態と同一の機能を有する部位には同一の符号を付して説明する。
【００５４】
支持部材１２０は、図５に示すように、ボール部材３０に沿って延在して、ボール部材３０の外面を転動自在に抱持する抱持壁２２（支持部）と、抱持壁２２の底部に形成され容器本体１０の収容空間Ｓを外部に連通させる連通孔２２ｂと、抱持壁２２を支持すると共に口部１１に装着される外筒壁２４（筒壁）及び内筒壁２６（筒壁）と、抱持壁２２の外面に一体に設けられたガイド部１４２とを備えている。
【００５５】
ガイド部１４２は、図５、図６Ａ及び図６Ｂに示すように、上方に向かって径方向内側に傾斜して延びている。ガイド部１４２は、傾斜面に沿って延びる櫛部１４２ａ及び突出部１４２ｄを備えている。
【００５６】
櫛部１４２ａは、図５、図６Ａ及び図６Ｂに示すように、複数の櫛歯が形成された部位であり、切り欠き部１４２ｂによって分断された各櫛歯が傾斜に沿って延びている。
【００５７】
図６Ａ及び図６Ｂに示すように、櫛部１４２ａの根元から外筒壁２４にかけて、複数の突出部１４２ｄが設けられている。突出部１４２ｄは、ガイド部１４２の傾斜に所定ピッチで突部が設けられた部位である。このように、本実施形態では、ガイド部１４２の内、外筒壁２４に近い径方向外側部分に突出部１４２ｄを形成すると共に外筒壁２４から遠い径方向内側部分に櫛部１４２ａを形成している。
【００５８】
本実施形態では、櫛部１４２ａにおいて各櫛歯に隣接する切り欠き部１４２ｂと突出部１４２ｄに隣接する凹部が傾斜面に沿う同一直線上に配置されている。この構成によって、凹部を通る過程で整列した塗布対象（頭髪）がそのまま各櫛歯の間の切り欠き部１４２ｂを通過して更に整列した状態でガイド部１４２から送り出される。従って、塗布対象をスムーズにガイドして整列させることができる。
【００５９】
以上述べたように、本実施形態では、ガイド部１４２は、支持部と一体形成されるように構成した。このような構成の採用によって、塗布具の構成を簡素化してコストを抑制することができる。
【００６０】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００６１】
例えば、本実施形態では、塗布具６０の回転部材としてボール部材３０を用いたロールオン式の塗布具６０を用いるように構成したが、この態様には限定されない。回転部材として例えば円柱形状のローラ部材を用い、当該ローラ部材が所定の回転軸周りに回動可能に構成されていてもよい。また、ローラ部材が円柱形状に対応した抱持壁により転動可能に抱持されるように構成してもよい。
【００６２】
また、本実施形態では、ガイド部材４０を回転部材における塗布対象との当接面近傍に設けるように構成したが、この態様には限定されない。ガイド部材４０は、塗布対象を整列可能な任意の場所に設けることができる。
【００６３】
また、本実施形態では、ガイド部材４０は、上記当接面の移動方向に沿って延びる櫛部４２ａ及び溝部４２ｃを有するように構成したが、この態様には限定されない。ガイド部材４０は、櫛部４２ａ及び溝部４２ｃの一方のみを備えていてもよいし、櫛部４２ａ又は溝部４２ｃ以外の他のガイド部を備えていてもよい。なお、溝部は、本実施形態のように溝に塗布対象を通すことで整列させる構成の他、所定間隔で形成された突出部の間の領域に塗布対象を通すことで整列させる構成をも含む概念である。
【００６４】
また、本実施形態では、ガイド部材４０のガイド部４２は、上方に向かって径方向内側に傾斜する方向に延びるように構成したが、この態様には限定されない。ガイド部４２は、例えば真上に向かう方向など他の方向に方向付けられていてもよい。
【００６５】
また、本実施形態では、支持部材２０が抱持壁２２、外筒壁２４及び内筒壁２６を一体形成したものとしたが、この態様には限定されず、一部を別体で設けるように構成してもよい。
【００６６】
また、本実施形態では、ガイド部材４０が、塗布対象をガイドするガイド部４２と、ガイド部４２を支持する嵌合壁４４とを一体形成したものとしたが、この態様には限定されず、別体で設けるように構成してもよい。
【００６７】
また、本実施形態では、回転部材を覆う蓋体５０を更に備え、蓋体５０の頂壁５４が、蓋体５０を容器本体１０に装着したときに回転部材を押圧する押圧部５６ａを有するように構成したが、この態様には限定されない。蓋体５０が押圧部５６ａを備えていなくてもよいし、蓋体５０を有しない構成としてもよい。
【００６８】
なお、本実施形態では、塗布容器１００を頭髪Ｈの整髪に用いることを前提に説明したが、この用途に限定されるものではなく、髪、毛等を含む様々なものの形状を整える用途に使用可能である。
【産業上の利用可能性】
【００６９】
本開示によれば、整髪等の手順を簡素化することが可能な塗布容器を提案することが可能となる。
【符号の説明】
【００７０】
１０      容器本体
１１      口部
１１ａ    雄ねじ部
１１ｂ    ビードリング
１１ｃ    環状突部
１３      首部
１５      胴部
１７      底部
２０      支持部材
２２      抱持壁（支持部）
２２ａ    支持突起
２２ｂ    連通孔
２４      外筒壁（筒壁）
２４ａ    爪部
２６      内筒壁（筒壁）
２８      段部
３０      ボール部材（回転部）
４０      ガイド部材
４２      ガイド部
４２ａ    櫛部
４２ｂ    切り欠き部
４２ｃ    溝部
４４      嵌合壁
５０      蓋体
５２      周壁
５２ａ    雌ねじ部
５４      頂壁
５６      ドーム部
５６ａ    押圧部
６０      塗布具
１００    塗布容器
１２０    支持部材
１４２    ガイド部
１４２ａ  櫛部
１４２ｂ  切り欠き部
１４２ｄ  突出部
Ｇ        微小隙間
Ｈ，Ｈａ  頭髪
Ｏ        中心軸線
Ｓ        収容容器
Ｔ        頭部
【図１】
2020183242.tif 000003
【図２】
2020183242.tif 000004
【図３Ａ】
2020183242.tif 000005
【図３Ｂ】
2020183242.tif 000006
【図４】
2020183242.tif 000007
【図５】
2020183242.tif 000008
【図６Ａ】
2020183242.tif 000009
【図６Ｂ】
2020183242.tif 000010